(57)【要約】 【課題】  面倒な釣竿の洗浄を容易に行うことが可能な釣竿洗浄具を提供する。 【解決手段】釣竿(10)を収納すると共に内部に水を水密状態で保持できる筐体(1)と、釣竿(10)の基部に装着可能な漏斗状の導水体(2)と、釣竿(10)の先端部に装着可能な先端支持部材(3)を有し、導水体(2)は径の小さい側の開口部を釣竿(10)の基部に装着でき、先端支持部材(3)は竿管内部からの水の流出を妨げない。  【選択図】図５
0003111719.tif 000002
【実用新案登録請求の範囲】
【請求項１】
釣竿を収納すると共に内部に水を水密状態で保持できる筐体と、
釣竿の基部に装着可能な漏斗状の導水体と、
釣竿の先端部に装着可能な先端支持部材を有し、
該導水体は径の小さい側の開口部を釣竿の基部に装着でき、
該先端支持部材は竿管内部からの水の流出を妨げない
ことを特徴とする釣竿洗浄具。
【請求項２】
前記導水体の径の小さい側の開口部には内側の竿管を先端側に押し出すための当接部が備えられており、該当接部は竿管内への水の流入を妨げない
ことを特徴とする請求項１記載の釣竿洗浄具。
【請求項３】
前記先端支持部材は弾性材よりなることを特徴とする請求項１又は請求項２記載の釣竿洗浄具。
【考案の詳細な説明】
【技術分野】
【０００１】
本考案は、釣竿を容易に洗浄することのできる用具に関するものである。
【背景技術】
【０００２】
釣竿を使用すると竿にゴミ，砂，塩，藻などの汚れが付着する。これらは釣竿を不潔にすると共に、異臭や表面の粘つきなどにより使用者を不快にさせる原因となる。
【０００３】
又、ラインが竿の内側を通る中通し竿の場合、海で使用するとラインに着いた海水が竿内で結晶化する。結晶化した塩は接触するラインの接触抵抗となり、ラインを傷つけてしまうこともある。
【０００４】
そこで使用後の釣竿は真水で水洗する必要がある。釣竿の外部については水道の水をかけて洗浄したり濡れ雑巾で汚れを拭き取りことにより清掃できるが、竿の内部の洗浄は困難である。
【０００５】
内部を洗浄する比較的簡単な方法は釣竿を真水に浸しておくことである。しかしながら釣竿は縮めたり分解してもある程度の長さを有しているため、それを浸すためには大きな容器が必要となる。多くの場合、家庭には釣竿が浸けられるほど大きな容器は浴槽しかないので、浴槽に水を貯めて釣竿を浸しておくのが一般的である。
【０００６】
しかしながら十分な洗浄効果を得ようとすると比較的長時間漬けておく必要がある。そのため、浴槽を長時間に渡って占有することとなり入浴に支障をきたす。
【０００７】
他の方法としては竿の基部キャップをはずし、そこにホースを当てて釣竿の内部に水を強制的に流し入れて洗浄する方法がある。これであれば、竿内に水が通るので内部の洗浄も可能である。
【０００８】
しかしながら、洗浄中はホースを釣竿の基部に押し当てて保持しなくてはならず、ホースから出た水が水圧で顔や服にかかることもあり、特に寒い季節には不愉快な作業となっている。又、浴槽に浸しておくより短時間で清掃できるものの、わざわざ洗浄作業をしなくてはならず面倒である。そのため、どうしても洗浄作業が後回しとなり、放置している間に竿が乾燥して塩が結晶化したり、ゴミが固まってしまうこともあった。
【特許文献１】特許公開平８−１９１６４７号公報
【考案の開示】
【考案が解決しようとする課題】
【０００９】
そこで本考案は面倒な釣竿の洗浄を極めて容易に行うことが可能な釣竿洗浄具を提供することを課題とする。
【課題を解決するための手段】
【００１０】
請求項１記載の釣竿洗浄具は、釣竿(10)を収納すると共に内部に水を水密状態で保持できる筐体(1)と、釣竿(10)の基部に装着可能な漏斗状の導水体(2)と、釣竿(10)の先端部に装着可能な先端支持部材(3)を有し、該導水体(2)は径の小さい側の開口部を釣竿(10)の基部に装着でき、該先端支持部材(3)は竿管内部からの水の流出を妨げないことを特徴とする。
【００１１】
これによれば釣竿の基部側に導水体(2)を取り付け、先端側に先端支持部材(3)を取り付けることができる。それらを取り付けた釣竿(10)を水の入った筐体(1)内に収納し、自動車等に乗せて移動すると、自動車の動き，エンジンの振動，慣性などによって筐体(1)内の水が動く。導水体(2)は漏斗状なので水は径の小さい側の開口、つまり釣竿(10)の基部に導かれる。
【００１２】
釣竿(10)の竿管内に入った水は竿管内を通って、先端部から排出される。先端部を支持する先端支持部材(3)は竿管内から出てくる水の流れを妨げないので、水は釣竿(10)の基部側から先端側に向かって流れることとなる。そして、釣竿の外部では水は釣竿の基部側に向かうこととなり、このような水の循環により釣竿(10)内部の水洗が行われる。
【００１３】
請求項２記載の釣竿洗浄具は請求項１記載の釣竿洗浄具において、前記導水体の径の小さい側の開口部には内側の竿管を先端側に押し出すための当接部(2b)が備えられており、該当接部(2b)は竿管内への水の流入を妨げないことを特徴とする。
【００１４】
これによれば、内側の竿管を先端側に少し突出させ、その突出した先端部分を先端支持部材(3)に支持させることができる。当接部(2b)と先端支持部材(3)とにより内側の竿管を保持できるため、竿管相互間の隙間を確保して竿管相互間に水が通りやすいようにすることができる。
【００１５】
請求項３記載の釣竿洗浄具は請求項１又は請求項２記載の釣竿洗浄具において、前記先端支持部材(3)は弾性材よりなることを特徴とする。
【００１６】
これによれば、先端支持部材(3)は弾性材であるので各竿管の先端部をくわえ込むように保持することができる。又、筐体(1)内で釣竿(10)が動いても釣竿(10)の先端部に加わる力を緩衝し先端部の破損を防止することができる。
【考案の効果】
【００１７】
本考案により内部に釣竿を入れておくだけで竿の内部まで水洗可能な釣竿洗浄具を得ることができ、使用後の釣竿のメンテナンスが格段に容易となる。
【考案を実施するための最良の形態】
【００１８】
以下、本考案を好適な実施例を用いて説明する。
【実施例１】
【００１９】
図１は本実施例に用いる筐体(1)を示した図である。この筐体(1)は釣竿と水を収納可能な長細い容器である。同図において(1a)は筒状部であり、本実施例では塩ビパイプを用いた。筒状部(1a)の長さや太さは一般的な釣竿が収納可能な長さであればよい。(1b)は底部であり、筒状部(1a)の一端を水密に封止している。本実施例では筒状部(1a)とは別の部材を接着することにより底部(1b)を形成したが、筒状部(1a)と底部(1b)とが最初から一体成形されたものであっても良い。
【００２０】
(1c)は底部(1b)と反対側の端に設けられた開口部であり、ここから釣竿や水を筐体(1)内に入れることや出すことができる。(1d)は開口部(1c)を水密に封口可能な栓又は蓋（以下、単に「栓」という）であり、この栓(1d)を開閉又は着脱することにより開口部(1c)の開閉をすることができる。そのため、筐体(1)内に開口部(1c)から水などの液体を入れて栓(1d)を締めると、内部に収納された液体は筐体(1)の外には漏れ出さない。
【００２１】
図２は本実施例の整流体(2)を示した図である。整流体(2)は漏斗状の漏斗部(2a)と、その漏斗部(2a)の狭い方の開口に備えられた当接部(2b)とからなる。漏斗部(2a)は径の小さい側の開口を、基部キャップがはずされた釣竿の基部に取り付けることができる。
【００２２】
当接部(2b)は釣竿の各竿管の基部に当接する部分であり、本実施例では腰の有る金属線をクロスさせることにより形成した。そのため、当接部(2b)は漏斗部(2a)に液体が出入りするのを妨げることはない。尚、実施例では金属線２本を十字にクロスさせたが、漏斗部(2a)を介して流れる水の流れを妨げないものであれば、他の形状や素材を用いても良い。例えば腰のあるメッシュをドーム状に形成したようなものでも良い。
【００２３】
図３は整流体(2)と基部キャップを外した釣竿(10)との接続を説明する図である。本実施例では４本の竿管(10a)，(10b)，(10c)，(10d)からなる釣竿を例に図示して説明するが、使用に際しては竿管の数は特に制限はない。
【００２４】
整流体(2)を一番太い（最外周の）竿管(10a)の基部に取り付けると、当接部(2b)が４本の竿管(10a)，(10b)，(10c)，(10d)の基部に当接する。当接部(2b)はドーム状となっているため、内側の竿管ほど当接部(2b)によって先端側に押し出されることとなる。
【００２５】
図４は釣竿の先端に装着する先端支持部材(3)を説明する図である。先端支持部材(3)は弾性を有する部材であり、本実施例では発泡ウレタンを使用した。先端支持部材(3)はＶ字状の切り欠き(3a)を有しており、その切り欠き(3a)に各竿管の先端部が挟み込まれるように支持される。
【００２６】
各竿管の先端部が支持されることにより竿管相互間に適度な隙間を確保し、竿管相互間の水の流れを確保することができる。又、先端支持部材(3)は竿管先端部を保護する働きもしている。先端支持部材(3)が緩衝材となり各竿管の先端部が筐体(1)に強く衝突することを防止できる。
【００２７】
尚、本実施例では説明容易のためにＶ字状の切り欠き(3a)を有した板状の先端支持部材(3)を図示したが、釣竿内部からの水流を妨げないのであれば他の形状でも良い。例えば、先端支持部材(3)が竿(10)の先端部から外れにくくするために図示した先端支持部材(3)の周囲に伸縮性を有したメッシュを配する等しても良い。
【００２８】
使用に際しては筐体(1)内に水を入れる。水は水道水などの真水が良く、必要なら更に洗浄液などを入れても良い。釣りをする現地で水道水が容易に確保できる場合は現地で水を入れても良いが、出発前又は現場に行く途中のドライブインなどで適当な量の水を入れ留ようにしても良い。
【００２９】
現地で釣竿(10)の使用をした後は、先端部に先端支持部材(3)を配する。そして、釣竿基部のキャップを外し、代わりに整流体(2)を取り付ける。整流体(2)の当接部(2b)に押された竿管は内側の竿管ほど先端側に押し出される。
【００３０】
先端側に押し出された各竿管の先端部は弾性を有する先端支持部材(3)のＶ字状切込(3a)に僅かに食い込むことにより、先端支持部材(3)によって挟み込まれるように保持される。尚、先端支持部材(3)と整流体(2)の釣竿(10)への取り付け順序は特に問わないので、使用者の好みの順に取り付ければよい。
【００３１】
筐体(1)の栓(1d)を開いて、整流体(2)と先端支持部材(3)が取り付けられた釣竿(10)を筐体(1)内に収納する。その際には筐体(1)内の水がこぼれないよう開口部(1c)側が上方となるようにして作業すると良い。
【００３２】
筐体(1)内の水量は少なくとも筐体(1)を横にして置いた際に釣竿(10)全体が浸る程度の水量が望ましい。水が満杯であると筐体(1)内で水が動きにくいので、その場合は適当な量となるように水を捨てればよい。
【００３３】
次いで栓(1d)を締めることにより密閉する。図１０はこのようにして整流体(2)と先端支持部材(3)が取り付けられた釣竿(10)を筐体(1)内に収納した状態を示した図である。
【００３４】
この状態で筐体(1)を横向き、つまり長尺方向が横になるようにして自動車の荷室などに載置する。トランク，後部座席，荷台に載せてもよいし、ルーフキャリアに取り付けても良い。向きは筐体(1)内の水が良き易い向きにすると効果が大きい。又、必要なら筐体(1)を僅かに傾けて載置しても良い。このような載置，取り付けの仕方は自動車の種類，ドライバーの運転のクセ，道路の状況等を考慮すると洗浄の効果が更に大きくなる。載置の仕方により筐体(1)内の水の動きが微妙に異なるからである。
【００３５】
この状態で自動車を運転して帰路につく。自動車は発車，停止，カーブ，加速，減速等を繰り返すが、その際の振動，慣性，更にはエンジン固有の振動等により筐体(1)に伝わり、筐体(1)内の水が動く。釣竿(10)の基部には漏斗状の漏斗部(2a)を有した整流体(2)が取り付けられているため、そこから水が竿管内に導入される。そして、竿管内を通って先端部から水が排出される。先端部から排出された水は釣竿(10)外で釣竿の基部側に移動する。つまり水は釣竿(10)内を通って循環する。
【００３６】
尚、自動車に載せて使用するのが代表的な使用例であるが、電車，ボート，バイクなどの乗り物に載せて使用することも可能である。
【００３７】
当接部(2b)と先端支持部材(3)により竿管相互間の隙間が保持されているので各竿管が水流に接しやすく、効率的に洗浄ができる。
【００３８】
釣りに行く場合はある程度の時間走行することが多く、運転時間が長いほど長時間洗浄されることとなる。浴槽などの動きが殆ど無い水槽に付けておく場合と異なり、水流が作られるため比較的短時間で洗浄できる。海釣りの場合でも使用後直ぐに洗浄開始できるため、竿管内の塩分は結晶化せずゴミも乾燥して固まらないので、この程度の水流でも十分に洗い流すことができる。
【００３９】
帰宅後、栓(1d)を開いて筐体(1)内から釣竿(10)を取り出す。その段階で水洗が完了しているので別途手間をかけて洗う必要がない。釣竿(10)内に残っている水を排出し、軽く拭いて乾かせばよい。必要ならブロアーなどで竿管内の水を空気圧によって吹き飛ばすようにしても良い。
【００４０】
筐体(1)も内部の水を捨てて乾かしておくと良い。汚れ具合により、軽く水洗いしても良い。筐体(1)は細長く、立てておけば専有面積は少ないので、使わないときも物置や室内に容易に保管することができる。
【産業上の利用可能性】
【００４１】
本考案は釣竿の洗浄に適したものであるが、竿管のようにパイプ状の物を洗浄する用途に適用することも可能である。
【図面の簡単な説明】
【００４２】
【図１】筐体を示した図。
【図２】整流体を示した図。
【図３】整流体と竿との接続を説明する図。
【図４】先端支持部材の取り付けを説明する図。
【図５】実施例１の使用状態を説明する図。
【符号の説明】
【００４３】
１    筐体
１ａ    筒状部
１ｂ    底部
１ｃ    開口部
１ｄ    栓（又は蓋）
２    整流体
２ａ    漏斗部
２ｂ    当接部
３    先端支持部材
３ａ    Ｖ字状切込
１０    釣竿
１０ａ，１０ｂ，１０ｃ，１０ｄ    竿管
【図１】
0003111719.tif 000003
【図２】
0003111719.tif 000004
【図３】
0003111719.tif 000005
【図４】
0003111719.tif 000006
【図５】
0003111719.tif 000007